(57)【要約】  静止部材と  調節可能な部材と、を含む調節可能な支持体であって、調節可能な部材は、静止部材に対する調節可能な部材の移動を可能にし、好ましい位置で調節可能な部材を静止部材に取り付けることを可能にする仕方で静止部材に結合される、調節可能な支持体。【選択図】図３Ａ
2019504979.tif 000002
【特許請求の範囲】
【請求項１】
調節可能な支持体であって、該調節可能な支持体は、
ブレースに取り付けられたベースを有する静止部材と、
前記静止部材に結合された調節可能な部材と、を含み、前記調節可能な部材は、もう１つのブレースに取り付けられたもう１つのベースを有し、前記もう１つのベースは、複数の異なる寸法のクランプを受け入れるための１つのベーススロット、および、もう１つのベーススロットの少なくとも１つを含む、調節可能な支持体。
【請求項２】
前記調節可能な部材は、前記静止部材に摺動自在に結合される、請求項１に記載の調節可能な支持体。
【請求項３】
前記ベースは、床および天井の一方に固定的に締結される、請求項１に記載の調節可能な支持体。
【請求項４】
前記ブレース、前記もう１つのベース、および、前記もう１つのブレースは、９０°アングルアイアンである、請求項１に記載の調節可能な支持体。
【請求項５】
前記ブレースおよび前記もう１つのブレースの一方は、前記ブレースまたは前記もう１つのブレースの１つの側面に１つの開口部を含み、前記ブレースまたは前記もう１つのブレースのもう１つの側面に２つの開口部を含み、前記１つの開口部は、前記２つの開口部が位置決めされる各それぞれの平面の間の平面上に位置決めされる、請求項１に記載の調節可能な支持体。
【請求項６】
前記１つの開口部および前記２つの開口部は、前記それぞれのベースまたは前記もう１ベースに取り付けられた前記ブレースまたは前記もう１つのブレースのもう１つの端とは反対側の前記ブレースまたは前記もう１つのブレースの１つの端の近くに位置決めされる、請求項５に記載の調節可能な支持体。
【請求項７】
前記ブレースおよび前記もう１つのブレースの一方は、前記ブレースまたは前記もう１つのブレースの１つの側面にブレーススロットを含み、前記ブレースまたは前記もう１つのブレースのもう１つの側面にもう１つのブレーススロットを含み、前記ブレーススロットおよび前記もう１つのブレーススロットは、前記１つの開口部および前記２つの開口部のそれぞれの１つと整合している、請求項５に記載の調節可能な支持体。
【請求項８】
前記ブレーススロットおよび前記もう１つのブレーススロットは、異なる長さを有する、請求項７に記載の調節可能な支持体。
【請求項９】
前記調節可能な部材は、最小延長位置から最大延長位置まで前記静止部材の前記ベースと垂直な方向に移動可能である、請求項７に記載の調節可能な支持体。
【請求項１０】
前記調節可能な部材は、前記最小延長位置、前記最大延長位置、および、前記最小延長位置と前記最大延長位置の間の位置の１つで前記静止部材に取り付けられる、請求項９に記載の調節可能な支持体。
【請求項１１】
前記もう１つのブレースは、前記もう１つのベースの各端の間で前記もう１つのベースに取り付けられる、請求項１に記載の調節可能な支持体。
【請求項１２】
前記もう１つのベースが、前記ベーススロットおよび前記もう１つのベーススロットを含み、前記ベーススロットおよび前記もう１つのベーススロットは、前記もう１つのブレースが前記もう１つのベースに取り付けられる位置に対して互いに反対側に位置決めされる、請求項１１に記載の調節可能な支持体。
【請求項１３】
前記もう１つのブレースは、前記もう１つのベースの１つの端の近くで前記もう１つのベースに取り付けられている、請求項１１に記載の調節可能な支持体。
【請求項１４】
前記もう１つのベースは、前記ベーススロットを含む、請求項１３に記載の調節可能な支持体。
【請求項１５】
前記複数の異なる寸法のクランプの１つの各端は、前記スロット内に取り付けられる、請求項１に記載の調節可能な支持体。
【請求項１６】
前記複数の異なる寸法のクランプの１つの１つの端は、前記ベーススロット内に取り付けられ、前記複数の異なる寸法のクランプの前記１つのもう１つの端は、前記もう１つのベーススロット内に取り付けられる、請求項１に記載の調節可能な支持体。
【請求項１７】
支持体を調節するための方法であって、該方法は、
静止部材のベースを固定面に取り付けることと、
ベーススロットおよびもう１つのベーススロットの少なくとも１つを備えるもう１つのベースを有する調節可能な部材を前記静止部材に結合することと、
前記静止部材の前記ベースと垂直な方向に前記調節可能な部材を移動させることと、
最小位置、最大位置、および、前記最小位置と前記最大位置の間の位置の１つで前記調節可能な部材を前記静止部材に取り付けること、とを含む、方法。
【請求項１８】
前記クランプを取り外し、前記ベーススロットおよび前記もう１つのベーススロットの前記少なくとも１つ内にもう１つのクランプを取り付けることをさらに含み、前記もう１つのクランプは、もう１つの所定の寸法を有する、請求項１７に記載の方法。
【請求項１９】
前記クランプの各端は、前記ベーススロット内に取り付けられる、請求項１７に記載の方法。
【請求項２０】
前記クランプの１つの端は、前記ベーススロット内に取り付けられ、前記クランプのもう１つの端は、前記もう１つのベーススロット内に取り付けられる、請求項１７に記載の方法。
【発明の詳細な説明】
【技術分野】
【０００１】
本開示は、一般的には、調節可能な支持体に関する。さらに詳しくは、本開示は、静止部材と  調節可能な部材と、を含む調節可能な支持体であって、調節可能な部材は、静止部材に対する調節可能な部材の移動を可能にし、好ましい位置で調節可能な部材を静止部材に取り付けることを可能にする仕方で静止部材に結合される、調節可能な支持体に関する。
【背景技術】
【０００２】
２インチ（５.０８ｃｍ）未満の径を備えるパイプを支持するのに使用される小さいボアパイプ支持体は、典型的には、バルク材料として得られ、組み立て、および、設置のためのプロジェクトサイトに輸送される。１つのプロジェクトサイトには４０００−６０００個の支持体があることがある。図１では、立面図が、小さいボアパイプのための固定された在来の支持体１００の１つの型式を示している。支持体１００は、ベース１０２、ブレース１０４、および、パイプ１０８を支持するためのもう１つのベース１０６を含む。支持体１００は、ベース１０２および面１１０に設けられたそれぞれの穴を通して位置決めされたボルト１１１を使用して面１１０に固定された１つの一体的構成要素である。支持体１００はまた、もう１つのベース１０６に設けられたそれぞれの穴を通して位置決めされたボルト１１４によってもう１つのベース１０６に取り外し可能に取り付けられたクランプ１１２を含む。図２では、立面図が、小さいボアパイプのための固定された在来の支持体２００のもう１つの型式を示している。支持体２００は、ベース２０２、ブレース２０４、および、パイプ２０８を支持するためのもう１つのベース２０６を含む。支持体２００は、面２１０に固定された１つの一体的構成要素である。支持体２００はまた、もう１つのベース２０６に設けられたそれぞれの穴を通して位置決めされたボルト２１４によってもう１つのベース２０６に取り外し可能に取り付けられたクランプ２１２を含む。
【０００３】
バルク材料として支持体を輸送する１つの利点は、支持体を追跡する必要がないことである。支持体が予め組み立てられる場合には、設置の前に、各設計の違いのために正確な支持体を追跡しなければならない。すべて似て見えるが、数ミリメートルだけ異なる幾千もの支持体があるときに、追跡は、大きな労力と責任となる。予め組み立てることもまた、正確な寸法形状に支持体を設計するためのより多くの労力を生じる。反対に、組み立て、および、設置のためのプロジェクトサイトに幾千もの支持体を輸送することの著しい不都合は、特に、それがタイトなスケジュールのモジュラープロジェクトであるか、あるいは、プロジェクトが遠隔な場所にあるときにおける、これらの支持体をプロジェクトサイトで構築するための組み立てる労力（例えば、測定、切断、溶接、皮膜入れ）である。
【０００４】
したがって、追跡が必要でないように、予め組み立てられ、十分に調節可能であり、かつ、他の支持体と交換可能である支持体に対するニーズがある。
【０００５】
本開示は、同じ要素は、同じ参照番号で参照される添付の図面を参照して記載される。
【図面の簡単な説明】
【０００６】
【図１】固定された在来の支持体の１つの型式を示す立面図である。
【図２】固定された在来の支持体のもう１つの型式を示す立面図である。
【図３Ａ】静止部材と、結合されていない別個の調節可能な部材と、を含む調節可能な支持体の１つの実施形態を示す立面図である。
【図３Ｂ】静止部材と、結合されている別個の調節可能な部材と、を含む調節可能な支持体の１つの実施形態を示す立面図である。
【図４】３−３に沿った図３Ａにおける調節可能な部材を示す頂面図である。
【図５Ａ】静止部材と、結合されていない別個の調節可能な部材と、を含む調節可能な支持体のもう１つの実施形態を示す立面図である。
【図５Ｂ】静止部材と、結合されている別個の調節可能な部材と、を含む調節可能な支持体のもう１つの実施形態を示す立面図である。
【図６】５−５に沿った図５Ａにおける調節可能な部材を示す底面図である。
【発明を実施するための形態】
【０００７】
本開示は、静止部材と  調節可能な部材と、を含み、調節可能な部材は、静止部材に対する調節可能な部材の移動を可能にし、好ましい位置で調節可能な部材を静止部材に取り付けることを可能にする仕方で静止部材に結合される、調節可能な支持体により１つまたはそれ以上の従来技術の不都合を克服する。
【０００８】
１つの実施形態では、本開示は、調節可能な支持体を含み、該調節可能な支持体は、i)ブレースに取り付けられたベースを有する静止部材と、ii) 前記静止部材に結合された調節可能な部材と、を含み、前記調節可能な部材は、もう１つのブレースに取り付けられたもう１つのベースを有し、前記もう１つのベースは、複数の異なる寸法のクランプを受け入れるための１つのベーススロット、および、もう１つのベーススロットの少なくとも１つを含む。
【０００９】
もう１つの実施形態では、本開示は、支持体を調節するための方法を含み、該方法は、i) 静止部材のベースを固定面に取り付けることと、ii) ベーススロットおよびもう１つのベーススロットの少なくとも１つを備えるもう１つのベースを有する調節可能な部材を前記静止部材に結合することと、iii) 前記静止部材の前記ベースと垂直な方向に前記調節可能な部材を移動させることと、iv) 最小位置、最大位置、および、前記最小位置と前記最大位置の間の位置の１つで前記調節可能な部材を前記静止部材に取り付けることと、v) 前記クランプを取り外し、前記ベーススロットおよび前記もう１つのベーススロットの前記少なくとも１つ内にもう１つのクランプを取り付けることと、を含み、前記もう１つのクランプは、もう１つの所定の寸法を有する。
【００１０】
本開示の主題は、本願では詳細に説明される。しかしながら、説明自体は、本開示の範囲を制限することを意図しない。本開示はかくして、他の現在の、または、将来の技術と関連されて、本願で記載されている構造、ステップ、および／または、組み合わせと同様な異なる構造、ステップ、および／または、組み合わせを含めて、他の仕方でも実施することができるであろう。さらに、用語「ステップ」は、採用される方法の異なる要素を本願で記載するのに使用されることができるが、この用語は、特定に順序に本記載によって明示的に制限されるのでなければ、本願で開示されている種々のステップの間でいかなる特定の順序も意味するものと解釈されるべきではない。
【００１１】
ここで、図３Ａ−３Ｂを参照すると、立面図が、静止部材３０２、および、結合されていない（図３Ａ）、および、結合されている（図３Ｂ）別個の調節可能な部材３０４を含む調節可能な支持体を示している。静止部材３０２は、ブレース３０８に取り付けられたベース３０６を含む。調節可能な部材３０４は、静止部材３０２に結合され、もう１つのベース３１０を含み、もう１つのベース３１０は、物体（例えば、パイプ３２０）を支持するもう１つのベース３１０の各端の間でもう１つのブレース３１２に取り付けられている。もう１つのベース３１０は、図４に示されている、ベーススロット３１４、および、もう１つのベーススロット３１６を含む。図４では、３−３に沿った図３Ａにおける調節可能な部材の頂面図が、複数の異なる寸法のクランプを受け入れるためのベーススロット３１４、および、もう１つのベーススロット３１６を示している。ベーススロット３１４、および、もう１つのベーススロット３１６は、好ましくは、もう１つのブレース３１２がもう１つのベース３１０に取り付けられる位置に対して互いに反対側に位置決めされている。ベーススロット３１４、および、もう１つのベーススロット３１６は、同じ、または、異なる長さを有することができる。クランプ３１８は、物体（例えば、パイプ３２０）をもう１つのベース３１０に取り付け、物体の横方向移動を制限するために、物体の寸法に基づいて、好ましい所定の寸法を有する。クランプ３１８の１つの端は、ボルト３２２によってベーススロット３１６内に取り付けら、クランプ３１８のもう１つの端は、ボルト３２４によってもう１つのベーススロット３１４内に取り付けられる。ベーススロット３１４、および、ベーススロット３１６は、異なる寸法の物体をもう１つのベース３１０に取り付けるために、複数の異なる寸法のクランプの受け入れを可能にする。
【００１２】
ブレース３０８は、ブレース３０８の１つの側面に１つの開口部３２５を含み、ブレース３０８のもう１つの側面に２つの開口部３２６、３２８を含む。１つの開口部３２５、および、２つの開口部３２６、３２８はまた、ベース３０６に取り付けられたブレース３０８のもう１つの端の反対側のブレース３０８の１つの端の近くに位置決めされている。代替的には、１つの開口部３２５は、もう１つのブレース３１２の１つの側面に同様に位置決めされてもよく、２つの開口部３２６、３２８は、もう１つのブレース３１２のもう１つの側面に同様に位置決めされてもよい。両方の実施形態は、静止部材３０２と調節可能な部材３０４の間の最大限の調節を可能にする。ブレース３０８の１つの側面、および／または、ブレース３０８のもう１つの側面で、より多い、または、より少ない開口部を使用して等、同じ機能を達成するために、他の設計を使用してもよい。両方の実施形態では、１つの開口部３２５は、静止部材３０２と調節可能な部材３０４の間の最大限の調節を可能にするために、２つの開口部３２６、３２８が位置決めされる各平面の間の等距離の平面上に位置決めされる。１つの開口部３２５、および、２つの開口部３２６、３２８は、各々、それぞれのボルトを受け入れるように設計され、それらの位置決めは、それぞれ２つの開口部３２６、３２８を通して位置決めされる各ボルトに干渉することなく、１つの開口部３２５を通して位置決めされるボルトを、自由な接近により調節する（締め付ける／弛める）ことを可能にする。ベース３０６は、複数のボルト３３０、或いは、代替的には、ねじによって固定面（例えば、床３４０）に取り付けられる。
【００１３】
もう１つのブレース３１２は、もう１つのブレース３１２の１つの側面にブレーススロット３３２を含み、もう１つのブレース３１２のもう１つの側面にブレーススロット３３４を含む。ブレーススロット３３２、および、もう１つのブレーススロット３３４は、もう１つのブレース３１２の長さによって束縛される、同じ、または、異なる長さを有することができる。しかしながら、ブレーススロット３３２およびもう１つのブレーススロット３３４の長さは、好ましくは、調節可能な支持体の安定性を損なうことなしに、もう１つのブレース３１２の長さ内で最大にされる。代替的には、ブレーススロット３３２は、ブレース３０８の１つの側面に同様に位置決めされてもよく、もう１つのブレーススロット３３４は、ブレース３０８のもう１つの側面に同様に位置決めされてもよい。両方の実施形態では、ブレーススロット３３２およびもう１つのブレーススロット３３４は、それぞれの１つの開口部３２５および２つの開口部３２６、３２８を通して位置決めされるボルトを受け入れるために開口部３２５および２つの開口部３２６、３２８のそれぞれの１つと整合している。このようにして、調節可能な部材３０４は、静止部材３０２に摺動自在に結合されるようになり、最小延長位置から最大延長位置まで静止部材３０２のベース３０６と垂直な方向に移動されることができる。調節可能な部材３０４は、かくして、それぞれの１つの開口部３２５および２つの開口部３２６、３２８、並びに、それぞれのブレーススロット３３２およびもう１つのブレーススロット３２４を通して位置決めされたボルトを使用して、最小延長位置、最大延長位置、および、最小延長位置と最大延長位置の間の位置の１つで静止部材３０２に取り付けられることができる。好ましくは、各ボルトは、A325等級またはそれ以上であり、正しいテンション／トルクで取り付けられることができる。各ボルト用の１つの係止ナットA194-2Hが、すべり抜けを制限し、荷重指示ワッシャが、予荷重が達成されていること、および  頻繁に測定値を取る必要なしに、接触領域のまわりの応力の一様な分布を確認する。しかしながら、調節可能な部材を同様に移動させ、取り付けるために、他の結合機構およびスロット構成を使用してもよい。
【００１４】
好ましくは、ブレース３０８、もう１つのベース３１０、および  もう１つのブレース３１２は、９０°アングルアイアンであるが、正方形管状設計の形態の更なる支持のためのアングル、および／または、追加の９０°アングルアイアンなしに、長さが同様な任意の他の材料から作られることができる。ブレース３０８、もう１つのベース３１０、および、もう１つのブレース３１２は、支持すべき物体の寸法および重量のような支持パラメータによって決定される異なる長さを有することができる。ベース３０６は、フィレット溶接によってブレース３０８に取り付けられるのがよい。同様に、もう１つのベース３１０は、フィレット溶接によってもう１つのブレース３１２に取り付けられるのがよい。しかしながら、支持のための必要な安定性を維持しながら、同じ構成要素を取り付けるために、他の技術および手段を使用することができる。図３−４に示されている調節可能な支持体は、前の構成要素が取り付けられる箇所でより小さい応力が課されるように、支持された物体の重量からの荷重を一様に分配する。
【００１５】
今、図５Ａ−５Ｂを参照すると、立面図が、静止部材５０２、および、結合されていない（図５Ａ）、および、結合されている（図５Ｂ）別個の調節可能な部材５０４を含む調節可能な支持体を示している。静止部材５０２は、ブレース５０８に取り付けられたベース５０６を含む。調節可能な部材５０４は、静止部材５０２に結合され、もう１つのベース５１０を含み、もう１つのベース５１０は、物体（例えば、パイプ５２０）を支持するもう１つのベース５１０の一方の端の近くでもう１つのブレース５１２に取り付けられている。もう１つのベース５１０は、図６に示されている、ベーススロット５１４を含む。図６では、５−５に沿った図５Ａにおける調節可能な部材の底面図が、複数の異なる寸法のクランプを受け入れるためのベーススロット５１４を示している。ベーススロット５１４は、異なる寸法長さを有することができる。クランプ５１８は、物体（例えば、パイプ５２０）をもう１つのベース５１０に取り付け、物体の横方向移動を制限するために、物体の寸法に基づいて、好ましい所定の寸法を有する。クランプ５１８の各端は、ボルト５２２、５２４によってベーススロット５１４内に取り付けられる。ベーススロット５１４異なる寸法の物体をもう１つのベース５１０に取り付けるために、複数の異なる寸法のクランプの受け入れを可能にする。
【００１６】
ブレース５０８は、ブレース５０８の１つの側面に１つの開口部５２５を含み、ブレース５０８のもう１つの側面に２つの開口部５２６、５２８を含む。１つの開口部５２５、および、２つの開口部５２６、５２８はまた、ベース３０６に取り付けられたブレース３０８のもう１つの端の反対側のブレース５０８の１つの端の近くに位置決めされている。代替的には、１つの開口部５２５は、もう１つのブレース５１２の１つの側面に同様に位置決めされてもよく、２つの開口部５２６、５２８は、もう１つのブレース５１２のもう１つの側面に同様に位置決めされてもよい。両方の実施形態は、静止部材５０２と調節可能な部材５０４の間の最大限の調節を可能にする。ブレース５０８の１つの側面、および／または、ブレース５０８のもう１つの側面で、より多い、または、より少ない開口部を使用して等、同じ機能を達成するために、他の設計を使用してもよい。両方の実施形態では、１つの開口部５２５は、静止部材５０２と調節可能な部材５０４の間の最大限の調節を可能にするために、２つの開口部５２６、５２８が位置決めされる各平面の間の等距離の平面上に位置決めされる。１つの開口部５２５、および、２つの開口部５２６、５２８は、各々、それぞれのボルトを受け入れるように設計されるので、それらの位置決めは、それぞれ２つの開口部５２６、５２８を通して位置決めされる各ボルトに干渉することなく、１つの開口部５２５を通して位置決めされるボルトを、自由な接近により調節する（締め付ける／弛める）ことを可能にする。ベース５０６は、複数のボルト５３０、或いは、代替的には、ねじによって固定面（例えば、天井５４０）に取り付けられる。
【００１７】
もう１つのブレース５１２は、もう１つのブレース５１２の１つの側面にブレーススロット５３２を含み、もう１つのブレース３１２のもう１つの側面にブレーススロット５３４を含む。ブレーススロット５３２、および、もう１つのブレーススロット５３４は、もう１つのブレース５１２の長さによって束縛される、同じ、または、異なる長さを有することができる。しかしながら、ブレーススロット５３２およびもう１つのブレーススロット５３４の長さは、好ましくは、調節可能な支持体の安定性を損なうことなしに、もう１つのブレース５１２の長さ内で最大にされる。代替的には、ブレーススロット５２２は、ブレース５０８の１つの側面に同様に位置決めされてもよく、もう１つのブレーススロット５３４は、ブレース５０８のもう１つの側面に同様に位置決めされてもよい。両方の実施形態では、ブレーススロット５３２およびもう１つのブレーススロット５２４は、それぞれの１つの開口部５２５および２つの開口部５２６、５２８を通して位置決めされるボルトを受け入れるために開口部５２５および２つの開口部５２６、５２８のそれぞれの１つと整合している。このようにして、調節可能な部材５０４は、静止部材５０２に摺動自在に結合されるようになり、最小延長位置から最大延長位置まで静止部材５０２のベース５０６と垂直な方向に移動されることができる。調節可能な部材５０４は、かくして、それぞれの１つの開口部５２５および２つの開口部５２６、５２８、並びに、それぞれのブレーススロット５３２およびもう１つのブレーススロット５３４を通して位置決めされたボルトを使用して、最小延長位置、最大延長位置、および、最小延長位置と最大延長位置の間の位置の１つで静止部材５０２に取り付けられることができる。好ましくは、各ボルトは、A325等級またはそれ以上であり、正しいテンション／トルクで取り付けられることができる。各ボルト用の１つの係止ナットA194-2Hが、すべり抜けを制限し、荷重指示ワッシャが、予荷重が達成されていること、および  頻繁に測定値を取る必要なしに、接触領域のまわりの応力の一様な分布を確認する。しかしながら、調節可能な部材を同様に移動させ、取り付けるために、他の結合機構およびスロット構成を使用してもよい。
【００１８】
好ましくは、ブレース５０８、もう１つのベース５１０、および  もう１つのブレース５１２は、９０°アングルアイアンであるが、正方形管状設計の形態の更なる支持のためのアングル、および／または、追加の９０°アングルアイアンなしに、長さが同様な任意の他の材料から作られることができる。ブレース５０８、もう１つのベース５１０、および、もう１つのブレース５１２は、支持すべき物体の寸法および重量のような支持パラメータによって決定される異なる長さを有することができる。ベース５０６は、フィレット溶接によってブレース５０８に取り付けられるのがよい。同様に、もう１つのベース５１０は、フィレット溶接によってもう１つのブレース５１２に取り付けられるのがよい。しかしながら、支持のための必要な安定性を維持しながら、同じ構成要素を取り付けるために、他の技術および手段を使用することができる。図５−６に示されている調節可能な支持体は、前の構成要素が取り付けられる箇所でより小さい応力が課されるように、支持された物体の重量からの荷重を一様に分配する。
【００１９】
図３−６に記載されている調節可能な支持体は、追跡が必要でないように、予め組み立てられ、十分に調節可能であり、他の支持体と交換可能である。
【００２０】
本開示を、現在好ましい実施形態に関して記載してきたけれども、本開示は、それらの実施形態に制限されることを意図するものではないことが、当業者には理解されるであろう。したがって、添付の特許請求の範囲およびその均等物によって規定される本開示の精神および範囲を逸脱することなく、種々の代替実施形態および変更が、開示された実施形態に対してなされる得ることが考えられる。
【符号の説明】
【００２１】
３０２、５０２  静止部材
３０４、５０４  調節可能な部材
３０６、５０６  ベース
３０８、５０８  ブレース
３１０、５１０  もう１つのベース
３１２、５１２  もう１つのブレース
３１４、５１４  ベーススロット
３１６、５１６  もう１つのベーススロット
３１８、５１８  クランプ
３２０、５２０  パイプ
３２５、５２５  １つの開口部
３２６、３２６  ２つの開口部
５２６、５２８  ２つの開口部
３３２、５３２  ブレーススロット
３３４、５３４  もう１つのブレーススロット
【図１】
2019504979.tif 000003
【図２】
2019504979.tif 000004
【図３Ａ】
2019504979.tif 000005
【図３Ｂ】
2019504979.tif 000006
【図４】
2019504979.tif 000007
【図５Ａ】
2019504979.tif 000008
【図５Ｂ】
2019504979.tif 000009
【図６】
2019504979.tif 000010
【国際調査報告】
2019504979.tif 000011